(57)【要約】【課題】  スロットイン型ディスク装置において、ディスク駆動手段Ａをトレイ型ディスク装置のそれと共通化する。ディスク搬入動作と光ピックアップの動作とを１つのモータで行わせる。２種類の異サイズのディスクを機械的に正確に判別する。【解決手段】  光ピックアップなどを備えるディスク駆動手段Ａにディスク搬送手段としての搬送ローラ２５を組み合わせる。歯車列２０によってモータＭの動力を第１ピニオンと搬送ローラ２５とに選択的に伝える。セレクトレバー９１によって大サイズディスクと小サイズディスクとを判別する。スライダ３０に、ディスクストッパ５０の動作やピニオン・ラック機構の動作などを制御するためのカム機構を集約して具備させる。【選択図】        図１
2006172557.tif 000002
【特許請求の範囲】
【請求項１】
ターンテーブルと、このターンテーブルに載架されたディスクの径方向に沿う方向に走行してそのディスクに対する光学的処理を行う光ピックアップと、この光ピックアップを走行させるための第１ピニオン・ラック機構と、この第１ピニオン・ラック機構の第１ラックを第１ピニオンから離間させて上記光ピックアップを初期位置に保持するロック機構と、このロック機構によるロック状態を解除するロック解除機構と、上記第１ピニオンを含みかつモータに連結された歯車列とを備えるディスク駆動手段に、異サイズの２種類のディスクから選択されたディスクに送り力を付与してそのディスクを上記ターンテーブルに対して搬入するためのディスク搬送手段を組み合わせてなり、
上記歯車列によって、上記モータの動力を上記第１ピニオンに伝える第１伝達路と、上記ディスク搬送手段に伝える第２伝達路とが形成されていると共に、上記ディスク搬送手段によって搬入されたディスクが係合してそのディスクにより直線路に沿って後退方向に押し込まれるディスクストッパと、上記ディスク搬送手段によるディスクの搬入が終了するタイミングに合わせて上記ディスクストッパをそのディスクから離れる位置まで後退させるディスクストッパ押切り機構と、このディスクストッパ押切り機構に連動して上記ディスク搬送手段を動作位置から非動作位置に退避させるディスク搬送停止機構と、このディスク搬送停止機構の退避動作と上記ロック解除機構の動作とに連動してディスクをターンテーブルに保持させるディスククランプ機構と、を備え、
上記ディスクストッパ押切り機構が、上記歯車列に介在されている第２ピニオンに噛み合う第２ラックを一体に備えたスライダと、このスライダに形成された押切りカム機構と、この押切りカム機構の作用を通じてスライダのスライド動作を上記ディスクストッパの後退動作に変換する単一の制御アームとを備え、
上記押切りカム機構が、上記ディスク搬送手段によるディスクの搬入が終了するタイミングに合わせて上記スライダをスライドさせることにより、上記第２ラックを上記第２ピニオンに対する離間位置からその第２ピニオンに対する噛合い位置まで移動させるスライダ始動手段を備え、そのスライダ始動手段が、上記押切りカム機構のカム面に具備された係合部と、上記カム面と共働して上記押切りカム機構を形成しかつ大サイズディスクにより上記ディスクストッパが押込み限界位置付近から押込み限界位置まで押し込まれたときに上記係合部に係合してその係合部を押すことにより上記スライダをスライドさせるカムフォロワとによって構成されて大サイズディスクに対応する第１始動手段と、上記カム面の初期位置に位置する上記カムフォロワに対向して上記スライダに設けられた突起と、小サイズディスクにより上記ディスクストッパが押込み限界位置付近から限界位置まで押し込まれたときに上記突起を押すことにより上記スライダをスライドさせる上記カムフォロワとによって構成されて小サイズディスクに対応する第２始動手段とに分かれていると共に、大サイズディスクが搬入されたときに第１始動手段だけを動作させ、小サイズディスクが搬入されたときに第２始動手段だけを動作させるセレクト機構を備え、
上記セレクト機構が、ディスク未搬入時に上記カム面の初期位置に位置する上記カムフォロワと上記突起との間に介在され、かつ、大サイズディスクが搬入されたときにのみ応動して上記カムフォロワと上記突起との相互間位置の外側に退避するばね板を備え、
上記第２始動手段の上記カムフォロワによる上記突起を押す動作が、そのカムフォロワに押されて撓み変形した上記ばね板を介して行われるようになっていると共に、上記ばね板は、大サイズディスクが搬入されたときにその大サイズディスクに押されて当該ばね板を上記相互間位置に退避させる方向に揺動変位し、かつ、小サイズディスクが搬入されたときには初期位置に位置して当該ばね板を上記相互間位置に保つセレクトレバーの先端に設けられており、上記ディスク搬送停止機構及び上記ディスククランプ機構の各動作が、上記押切りカム機構と共に上記スライダに設けられた各別のカム機構によって制御されるようになっていることを特徴とするスロットイン型ディスク装置。
【請求項２】
ターンテーブルと、このターンテーブルに載架されたディスクの径方向に沿う方向に走行してそのディスクに対する光学的処理を行う光ピックアップと、この光ピックアップを走行させるための第１ピニオン・ラック機構と、この第１ピニオン・ラック機構の第１ラックを第１ピニオンから離間させて上記光ピックアップを初期位置に保持するロック機構と、このロック機構によるロック状態を解除するロック解除機構と、上記第１ピニオンを含みかつモータに連結された歯車列とを備えるディスク駆動手段に、異サイズの２種類のディスクから選択されたディスクに送り力を付与してそのディスクを上記ターンテーブルに対して搬入するためのディスク搬送手段を組み合わせてなり、
上記歯車列によって、上記モータの動力を上記第１ピニオンに伝える第１伝達路と上記ディスク搬送手段に伝える第２伝達路とが形成されていると共に、上記ディスク搬送手段によって搬入されたディスクが係合してそのディスクにより直線路に沿って後退方向に押し込まれるディスクストッパと、上記ディスク搬送手段によるディスクの搬入が終了するタイミングに合わせて上記ディスクストッパをそのディスクから離れる位置まで後退させるディスクストッパ押切り機構と、このディスクストッパ押切り機構に連動して上記ディスク搬送手段を動作位置から非動作位置に退避させるディスク搬送停止機構と、このディスク搬送停止機構の退避動作と上記ロック解除機構の動作とに連動してディスクをターンテーブルに保持させるディスククランプ機構と、を備えていることを特徴とするスロットイン型ディスク装置。
【請求項３】
上記ディスクストッパ押切り機構が、上記歯車列に介在されている第２ピニオンに噛み合う第２ラックを一体に備えたスライダと、このスライダに形成された押切りカム機構と、この押切りカム機構の作用を通じてスライダのスライド動作を上記ディスクストッパの後退動作に変換する単一の制御アームとを備えている請求項２に記載したスロットイン型ディスク装置。
【請求項４】
上記押切りカム機構が、上記ディスク搬送手段によるディスクの搬入が終了するタイミングに合わせて上記スライダをスライドさせることにより、上記第２ラックを上記第２ピニオンに対する離間位置からその第２ピニオンに対する噛合い位置まで移動させるスライダ始動手段を備えている請求項３に記載したスロットイン型ディスク装置。
【請求項５】
上記スライダ始動手段が、大サイズディスクに対応する第１始動手段と小サイズディスクに対応する第２始動手段とに分かれていると共に、大サイズディスクが搬入されたときに第１始動手段だけを動作させ、小サイズディスクが搬入されたときに第２始動手段だけを動作させるセレクト機構を備えている請求項４に記載したスロットイン型ディスク装置。
【請求項６】
上記第１始動手段が、上記押切りカム機構のカム面に具備された係合部と、上記カム面と共働して上記押切りカム機構を形成しかつ大サイズディスクにより上記ディスクストッパが押込み限界位置付近から押込み限界位置まで押し込まれたときに上記係合部に係合してその係合部を押すことにより上記スライダをスライドさせるカムフォロワとによって構成され、
上記第２始動手段が、上記カム面の初期位置に位置する上記カムフォロワに対向して上記スライダに設けられた突起と、小サイズディスクにより上記ディスクストッパが押込み限界位置付近から限界位置まで押し込まれたときに上記突起を押すことにより上記スライダをスライドさせる上記カムフォロワとによって構成され、
上記セレクト機構が、ディスク未搬入時に上記カム面の初期位置に位置する上記カムフォロワと上記突起との間に介在され、かつ、大サイズディスクが搬入されたときにのみ応動して上記カムフォロワと上記突起との相互間位置の外側に退避するばね板を備え、
上記第２始動手段の上記カムフォロワによる上記突起を押す動作が、そのカムフォロワに押されて撓み変形した上記ばね板を介して行われるようになっている請求項５に記載したスロットイン型ディスク装置。
【請求項７】
上記ばね板は、大サイズディスクが搬入されたときにその大サイズディスクに押されて当該ばね板を上記相互間位置に退避させる方向に揺動変位し、かつ、小サイズディスクが搬入されたときには初期位置に位置して当該ばね板を上記相互間位置に保つセレクトレバーの先端に設けられている請求項６に記載したスロットイン型ディスク装置。
【発明の詳細な説明】
【技術分野】
【０００１】
本発明は、スロットイン型ディスク装置、特に異サイズの大小２種類のディスクを取り扱うことができ、ディスク駆動手段の光ピックアップと、ディスクを搬入するためのディスク搬送手段とが単一のモータを駆動源として動作するようになっているスロットイン型ディスク装置に関する。
【背景技術】
【０００２】
ディスクを光ピックアップで光学的に処理するディスク装置には、ディスクをディスクトレイに乗せて搬入するタイプ（トレイ型という）や、ディスクに直接に送り力を与えてディスクを単独で搬入するタイプ（スロットイン型という）などがあり、いずれのタイプのディスク装置についても、ディスク搬入から光ピックアップによる光学的処理に至るまでの途中で、搬入したディスクをターンテーブルに確実に保持させることが要求され、また、ターンテーブルと共にディスクを回転させながら光ピックアップによる光学的処理が行われるという点で共通している。言い換えると、そのようなディスクの装着や光ピックアップの動作を行わせるためのディスク駆動手段の作用はトレイ型とスロットイン型とに共通している。この点に着目すると、スロットイン型ディスク装置の量産性を向上させるためには、トレイ型ディスク装置とスロットイン型ディスク装置との両方に同一構成のディスク駆動手段を共用し、そのディスク駆動手段に、トレイ型又はスロットイン型のそれぞれに適するディスク搬送手段を組み合わせてディスク装置を構成することが有効であると云える。
【０００３】
一方、スロットイン型ディスク装置については、異サイズの２種類のディスクを取り扱うものが従来より種々提案されている（たとえば特許文献１〜５参照）。このうち、特許文献１には、搬送ローラによりディスクを吸い込ませる場合に、種々のアームやストッパ、カム手段をなどを組み合わせることによって、大小２種類のディスクを機械的に判別するようにしたものが記載されている。特許文献２〜５にも同様に機械的に大小２種類のディスクを判別するものが記載されている。
【０００４】
また、従来より、ディスク装置において、ディスクの搬入からクランプまでの工程の正確性を図る技術（特許文献６）が提案されているほか、ディスクの搬入と光ピックアップの送り動作とを１つのモータで行わせる技術（特許文献７〜９）も提案されている。
【特許文献１】特開平６−４４６６０号公報
【特許文献２】特開２００２−１７５６５８号公報
【特許文献３】特開２００２−１５０６５０号公報
【特許文献４】特開２０００−１１３５４６号公報
【特許文献５】特開２００３−２５７１０８号公報
【特許文献６】特開２００４−１５２３４５号公報
【特許文献７】特開２００２−２８８９１１号公報
【特許文献８】特開２００３−５９１５３号公報
【特許文献９】特開２００４−１９８６２号公報
【発明の開示】
【発明が解決しようとする課題】
【０００５】
本発明は以上の状況に鑑みてなされたものである。すなわち、スロットイン型ディスク装置において、トレイ型ディスク装置のディスク駆動手段を流用することが容易であるだけでなく、ディスクの搬入と光ピックアップの送り動作とを１つのモータで行わせることを可能にする対策を講じ、しかも、ディスクの搬入の動作と光ピックアップの動作とを適切なタイミングを保って連動させることの対策を講じることによって、量産性に適応させることの容易なスロットイン型ディスク装置を提供することを目的とする。
【０００６】
また、本発明は、２種類の異サイズのディスクを機械的に正確に判別することが可能であり、搬入されたディスクのサイズに応じた適切なタイミングでターンテーブルへのディスクの装着や光ピックアップの動作を行わせることのできるスロットイン型ディスク装置を提供することを目的とする。
【０００７】
さらに、本発明は、２種類の異サイズのディスクの機械的な判別動作やディスク駆動手段の動作タイミングなどを図るための各機構を単一のスライド部材に集約することによって、それらの動作安定性や動作信頼性を向上させることのできるスロットイン型ディスク装置を提供することを目的とする。
【０００８】
さらに、本発明は、上記各目的を達成することができるにもかかわらず、構成が簡単で必要部品点数が少なく抑えられるスロットイン型ディスク装置を提供すことを目的とする。
【課題を解決するための手段】
【０００９】
本発明に係るスロットイン型ディスク装置は、ターンテーブルと、このターンテーブルに載架されたディスクの径方向に沿う方向に走行してそのディスクに対する光学的処理を行う光ピックアップと、この光ピックアップを走行させるための第１ピニオン・ラック機構と、この第１ピニオン・ラック機構の第１ラックを第１ピニオンから離間させて上記光ピックアップを初期位置に保持するロック機構と、このロック機構によるロック状態を解除するロック解除機構と、上記第１ピニオンを含みかつモータに連結された歯車列とを備えるディスク駆動手段に、異サイズの２種類のディスクから選択されたディスクに送り力を付与してそのディスクを上記ターンテーブルに対して搬入するためのディスク搬送手段を組み合わせてなる。
【００１０】
そして、上記歯車列によって、上記モータの動力を上記第１ピニオンに伝える第１伝達路と、上記ディスク搬送手段に伝える第２伝達路とが形成されていると共に、上記ディスク搬送手段によって搬入されたディスクが係合してそのディスクにより直線路に沿って後退方向に押し込まれるディスクストッパと、上記ディスク搬送手段によるディスクの搬入が終了するタイミングに合わせて上記ディスクストッパをそのディスクから離れる位置まで後退させるディスクストッパ押切り機構と、このディスクストッパ押切り機構に連動して上記ディスク搬送手段を動作位置から非動作位置に退避させるディスク搬送停止機構と、このディスク搬送停止機構の退避動作と上記ロック解除機構の動作とに連動してディスクをターンテーブルに保持させるディスククランプ機構と、を備えている。
【００１１】
この発明において、異サイズの２種類のディスクから選択されたディスクは、ディスク搬送手段により送り力が付与されてターンテーブルに対して搬入されるので、異サイズの２種類のディスクの使い分けが可能であり、しかも、ディスクにはディスク搬送手段により送り力が付与されるため、ディスク搬送手段がスロットイン型ディスク装置に適したものになる。
【００１２】
また、ディスク駆動手段が、ターンテーブルと、光ピックアップと、光ピックアップを走行させるための第１ピニオン・ラック機構と、この第１ピニオン・ラック機構の第１ラックを第１ピニオンから離間させて上記光ピックアップを初期位置に保持するロック機構と、このロック機構によるロック状態を解除するロック解除機構と、上記第１ピニオンを含みかつモータに連結された歯車列とを備えていて、そのようなディスク駆動手段に、ディスククランプ機構を付加する構成を採用しているので、ディスク駆動手段の構成がトレイ型ディスク装置のそれと共通化される。そのため、ディスク駆動手段として、トレイ型ディスク装置のディスク駆動手段を流用することが可能になってスロットイン型ディスク装置の量産性を図りやすくなる。
【００１３】
さらに、上記歯車列に第１伝達路と第２伝達路とを形成することにより、１つのモータの動力を光ピックアップを動作させるための第１ピニオンとディスクに送り力を付与するためのディスク搬送手段とに伝えることを可能にしているので、トレイ型ディスク装置のディスク駆動手段を流用することが可能であるにもかかわらずモータが１つで済むという利点がある。
【００１４】
さらに、ディスクストッパと、ディスクストッパ押切り機構、ディスク搬送停止機構、ディスククランプ機構などの各機構の動作タイミングを適切に定めてあることにより、ディスク搬入から光ピックアップによるディスクの光学的処理に至る動作が円滑に行われる。
【００１５】
本発明では、上記ディスクストッパ押切り機構が、上記歯車列に介在されている第２ピニオンに噛み合う第２ラックを一体に備えたスライダと、このスライダに形成された押切りカム機構と、この押切りカム機構の作用を通じてスライダのスライド動作を上記ディスクストッパの後退動作に変換する単一の制御アームとを備えていることが望ましい。この構成であれば、ディスクストッパ押切り機構の押切りカム機構とディスクストッパとが単一の制御アームによって連係されてディスクストッパ押切り機構を少ない数の部品で簡単に構成することが可能になる。
【００１６】
本発明では、上記押切りカム機構が、上記ディスク搬送手段によるディスクの搬入が終了するタイミングに合わせて上記スライダをスライドさせることにより、上記第２ラックを上記第２ピニオンに対する離間位置からその第２ピニオンに対する噛合い位置まで移動させるスライダ始動手段を備えていることが望ましい。これによれば、スライダ始動手段が押切りカム機構の一部分によって構成されているために、スライダ始動手段を別途構成する必要がなくなってそれだけ構成が簡単になる。
【００１７】
本発明では、上記スライダ始動手段が、大サイズディスクに対応する第１始動手段と小サイズディスクに対応する第２始動手段とに分かれていると共に、大サイズディスクが搬入されたときに第１始動手段だけを動作させ、小サイズディスクが搬入されたときに第２始動手段だけを動作させるセレクト機構を備えているという構成を採用することが可能である。これによれば、搬入されたディスクの大きさを機械的に判別することがセレクト機構によって可能になる。
【００１８】
本発明では、上記第１始動手段が、上記押切りカム機構のカム面に具備された係合部と、上記カム面と共働して上記押切りカム機構を形成しかつ大サイズディスクにより上記ディスクストッパが押込み限界位置付近から押込み限界位置まで押し込まれたときに上記係合部に係合してその係合部を押すことにより上記スライダをスライドさせるカムフォロワとによって構成され、上記第２始動手段が、上記カム面の初期位置に位置する上記カムフォロワに対向して上記スライダに設けられた突起と、小サイズディスクにより上記ディスクストッパが押込み限界位置付近から限界位置まで押し込まれたときに上記突起を押すことにより上記スライダをスライドさせる上記カムフォロワとによって構成され、上記セレクト機構が、ディスク未搬入時に上記カム面の初期位置に位置する上記カムフォロワと上記突起との間に介在され、かつ、大サイズディスクが搬入されたときにのみ応動して上記カムフォロワと上記突起との相互間位置の外側に退避するばね板を備え、上記第２始動手段の上記カムフォロワによる上記突起を押す動作が、そのカムフォロワに押されて撓み変形した上記ばね板を介して行われるようになっているという構成を採用することができる。この場合、上記ばね板は、大サイズディスクが搬入されたときにその大サイズディスクに押されて当該ばね板を上記相互間位置に退避させる方向に揺動変位し、かつ、小サイズディスクが搬入されたときには初期位置に位置して当該ばね板を上記相互間位置に保つセレクトレバーの先端に設けられていることが望ましい。この構成を採用すると、構成が簡単でありながら、搬入されたディスクの大きさに応じて第１始動手段や第２始動手段が正確に動作するようになる。
【００１９】
本発明は次の構成を採用することによっていっそう具体化される。すなわち、ターンテーブルと、このターンテーブルに載架されたディスクの径方向に沿う方向に走行してそのディスクに対する光学的処理を行う光ピックアップと、この光ピックアップを走行させるための第１ピニオン・ラック機構と、この第１ピニオン・ラック機構の第１ラックを第１ピニオンから離間させて上記光ピックアップを初期位置に保持するロック機構と、このロック機構によるロック状態を解除するロック解除機構と、上記第１ピニオンを含みかつモータに連結された歯車列とを備えるディスク駆動手段に、異サイズの２種類のディスクから選択されたディスクに送り力を付与してそのディスクを上記ターンテーブルに対して搬入するためのディスク搬送手段を組み合わせてなり、上記歯車列によって、上記モータの動力を上記第１ピニオンに伝える第１伝達路と、上記ディスク搬送手段に伝える第２伝達路とが形成されていると共に、上記ディスク搬送手段によって搬入されたディスクが係合してそのディスクにより直線路に沿って後退方向に押し込まれるディスクストッパと、上記ディスク搬送手段によるディスクの搬入が終了するタイミングに合わせて上記ディスクストッパをそのディスクから離れる位置まで後退させるディスクストッパ押切り機構と、このディスクストッパ押切り機構に連動して上記ディスク搬送手段を動作位置から非動作位置に退避させるディスク搬送停止機構と、このディスク搬送停止機構の退避動作と上記ロック解除機構の動作とに連動してディスクをターンテーブルに保持させるディスククランプ機構と、を備え、上記ディスクストッパ押切り機構が、上記歯車列に介在されている第２ピニオンに噛み合う第２ラックを一体に備えたスライダと、このスライダに形成された押切りカム機構と、この押切りカム機構の作用を通じてスライダのスライド動作を上記ディスクストッパの後退動作に変換する単一の制御アームとを備え、上記押切りカム機構が、上記ディスク搬送手段によるディスクの搬入が終了するタイミングに合わせて上記スライダをスライドさせることにより、上記第２ラックを上記第２ピニオンに対する離間位置からその第２ピニオンに対する噛合い位置まで移動させるスライダ始動手段を備え、そのスライダ始動手段が、上記押切りカム機構のカム面に具備された係合部と、上記カム面と共働して上記押切りカム機構を形成しかつ大サイズディスクにより上記ディスクストッパが押込み限界位置付近から押込み限界位置まで押し込まれたときに上記係合部に係合してその係合部を押すことにより上記スライダをスライドさせるカムフォロワとによって構成されて大サイズディスクに対応する第１始動手段と、上記カム面の初期位置に位置する上記カムフォロワに対向して上記スライダに設けられた突起と、小サイズディスクにより上記ディスクストッパが押込み限界位置付近から限界位置まで押し込まれたときに上記突起を押すことにより上記スライダをスライドさせる上記カムフォロワとによって構成されて小サイズディスクに対応する第２始動手段とに分かれていると共に、大サイズディスクが搬入されたときに第１始動手段だけを動作させ、小サイズディスクが搬入されたときに第２始動手段だけを動作させるセレクト機構を備え、上記セレクト機構が、ディスク未搬入時に上記カム面の初期位置に位置する上記カムフォロワと上記突起との間に介在され、かつ、大サイズディスクが搬入されたときにのみ応動して上記カムフォロワと上記突起との相互間位置の外側に退避するばね板を備え、上記第２始動手段の上記カムフォロワによる上記突起を押す動作が、そのカムフォロワに押されて撓み変形した上記ばね板を介して行われるようになっていると共に、上記ばね板は、大サイズディスクが搬入されたときにその大サイズディスクに押されて当該ばね板を上記相互間位置に退避させる方向に揺動変位し、かつ、小サイズディスクが搬入されたときには初期位置に位置して当該ばね板を上記相互間位置に保つセレクトレバーの先端に設けられており、上記ディスク搬送停止機構及び上記ディスククランプ機構の各動作が、上記押切りカム機構と共に上記スライダに設けられた各別のカム機構によって制御されるようになっている、という構成を採用することによっていっそう具体化される。そして、この発明によれば、ディスク搬送停止機構及びディスククランプ機構の各動作や、セレクト機構の動作が、１つのスライダの動作を介して制御されるようになる。そのため、２種類の異サイズのディスクの機械的な判別動作やディスク駆動手段の動作タイミングなどを確保するための各機構が単一のスライド部材に集約されてそれらの動作安定性や動作信頼性が向上する。
【発明の効果】
【００２０】
以上のように、本発明に係るスロットイン型ディスク装置によれば、トレイ型ディスク装置のディスク駆動手段を流用した場合でも、ディスクの搬入と光ピックアップの送り動作とを１つのモータで行わせることが可能になって、スロットイン型ディスク装置の量産化を促進することが容易になり、そのようなスロットイン型ディスク装置を安価に提供することが可能になる。その上、２種類の異サイズのディスクを機械的に正確に判別し、搬入されたディスクのサイズに応じた適切なタイミングでターンテーブルへのディスクの装着や光ピックアップの動作を行わせることができるので、電気的なディスク判別制御を行う必要がなくなり、この点からもスロットイン型ディスク装置を安価に提供することが可能になる。さらに、２種類の異サイズのディスクの機械的な判別動作やディスク駆動手段の動作タイミングなどを図るための各機構を単一のスライド部材に集約したものでは、それらの動作安定性や動作信頼性を向上し、構成が簡単で必要部品点数が少なく抑えられてユーザにとって使い勝手がよく、しかも、動作安定性や動作信頼性に優れたスロットイン型ディスク装置を提供することが可能になる。
【発明を実施するための最良の形態】
【００２１】
図１〜図５は大サイズディスク使用時のスロットイン型ディスク装置の構成や作用を示した説明図、図６〜図８は小サイズディスク使用時のスロットイン型ディスク装置の構成や作用を示した説明図、図９は歯車列の説明図、図１０は制御アームの平面図、図１１は押切りカム機構などの構成と作用を示した説明図、図１２はロック機構とロック解除機構とを説明的に示した横断面図、図１３は図１２のＸＩＩＩ矢視図に相応する拡大図である。
【００２２】
図９、図１２及び図１３を参照してディスク駆動手段Ａを説明する。ディスク駆動手段Ａは、図示していないモータに直結されたターンテーブル１１と、光ピックアップ１２と、第１ピニオン・ラック機構１３と、ロック機構１６と、ロック解除機構１８と、歯車列２０とを備えている。ターンテーブル１１はフレーム枠１０の略中央部に配備され、光ピックアップ１２は、ターンテーブル１１に対する遠近方向の直線経路に沿って走行するようにフレーム枠１０に取り付けられている。光ピックアップ１２は、ターンテーブル１１に載架されたディスク（不図示）を光学的に走査処理するのであって、上記遠近方向はそのディスクの半径方向Ｒに一致している。光ピックアップ１２には、上記第１ピニオン・ラック機構１３の第１ラック１４が備わっており、その相手方である第１ピニオン１５が図９に示した歯車列２０に介在されている。ロック機構１６は、第１ラック１４と一体に設けられた係合ピン１６ａと、第１ラック１４の移動方向に対し直交する方向に移動可能な可動枠１７に具備された係合溝部１６ｂとによって構成されており、光ピックアップ１２が図１２に示した初期位置に位置しているときには、係合ピン１６が図示のように係合溝部１６ｂに嵌合して第１ラック１４の移動を阻止することにより光ピックアップ１２を初期位置に保持している（ロック状態）のに対し、このロック状態から可動枠１７が図中右方向（矢印ｂ）に往動すると、係合ピン１６ａが係合溝部１６ｂに連続するカム溝１６ｃにより案内されて第１ラック１４を矢印ａのように後押しする。ここで、光ピックアップ１２が初期位置に位置しているときには、図示のように第１ラック１４が第１ピニオン１５から離間しており、可動枠１７の矢印ｂ方向の往動でカム溝１６ｃにより案内された係合ピン１６ａが第１ラック１４を後押しすると、その第１ラック１４が第１ピニオン１５に噛み合って光ピックアップ１２が第１ピニオン１５の回転方向に応じてディスクの半径方向Ｒに正逆移動しディスクの光学的処理を行うようになっている。ロック解除機構１８はロック機構１６によるロック状態を解除する作用を担っている。このロック解除機構１８は、後述するスライダ３０の第１カム板３０Ａに設けられている長孔３１の一端縁３１ａと、可動枠１７に突設されて長孔３１に嵌合された係止軸３２とによって形成されており、スライダ３０が矢印ｃ方向に移動して長孔３１の一端縁３１ａが係止軸３２を図中右方向に押し移動させることによって動作するものである。図１９に示した歯車列２０は、フレーム枠１０の前側スペースＳに配備されて、フレーム枠１０のモータ設置スペースＳ１に設置されたモータＭの回転を伝達する作用を行う。
【００２３】
この実施形態では、上記したディスク駆動手段Ａを筐体１００（図１など参照）に収容し、その筐体１００のスロット部分に臨ませて図９に示した搬送ローラ２５でなるディスク搬送手段を取り付けることにより、この搬送ローラ２５を上記ディスク駆動手段Ａに組み合わせてある。
【００２４】
搬送ローラ２５は、その支軸２６がスライダ３０（図１などを参照）の第２カム板３０Ｂに設けられたカム溝３３に嵌合されていると共に、端部に従動歯車２７を備え、この従動歯車２７の相手方である歯車２８が、第２ピニオン４３（後述する）などを介して上記歯車列２０の終端ギヤ２９に連動連結されている。そして、第２カム板３０Ｂが移動すると、カム溝３３によって案内される支軸２６の上下動によって、上記従動歯車２６が歯車２８に噛み合う位置と噛合いが解除される位置との間で移動する。
【００２５】
図１〜図５又は図６〜図８に示したように、筐体１００には、上記したディスク駆動手段Ａが収容されているほか、ディスクストッパ５０、上記スライダ３０、ディスククランプ機構６０などが収容されている。
【００２６】
ディスクストッパ５０は、ディスク搬入方向に対面してその搬入方向に平行な直線路に沿って前進後退自在に筐体１００に取り付けられていて、そのディスクストッパ５０には、円板状のディスクの外周端面の２箇所に係合してディスクに求心作用を及ぼす係止部５１，５１が備わっている。
【００２７】
スライダ３０は、第３カム板３０Ｃを備えていて、上記した第１カム板３０Ａと第２カム板３０Ｂとがこの第３カム板３Ｃの幅方向両端縁から立ち上げられている。そして、第２カム板３０Ｂには、搬送ローラ２５の支軸２６を上下動させるための上記カム溝３３のほか、ディスククランプ機構６０を昇降させるためのカム溝３４が備わり、それらの２つのカム溝３３，３４は略同一形状に形成されている。ディスククランプ機構６０は、カム溝３４に嵌合された係合軸６５を中間部に備えたクランパホルダー６１の一端部６２を筐体１００に回動自在に連結してあると共に、クランパホルダー６１には、ターンテーブル１１と共働してディスクを挟持するためのクランパ６３が取り付けられている。
【００２８】
図例のスロットイン型ディスク装置は、搬送ローラ２５によるディスクの搬入が終了するタイミングに合わせてディスクストッパ５０をそのディスクから離れる位置まで後退させるディスクストッパ押切り機構と、このディスクストッパ押切り機構に連動して搬送ローラ２５を動作位置から非動作位置に退避させるディスク搬送停止機構（カム溝３３によって構成されている）とを備えていて、ディスク搬送停止機構による搬送ローラ２５の退避動作と上記したロック解除機構１８の動作とに連動してディスククランプ機構６０が動作するようになっている。次に、ディスクストッパ押切り機構を説明する。
【００２９】
ディスクストッパ押切り機構は、歯車列２０に介在されている第２ピニオン４３に噛み合う第２ラック７１を一体に備えた上記スライダ３０と、このスライダ３０に形成された押切りカム機構７２と、この押切りカム機構７２の作用を通じてスライダ３０のスライド動作をディスクストッパ５０の後退動作に変換する単一の制御アーム７６とを備えている。
【００３０】
押切りカム機構７２を図７又は図１１を参照して説明する。押切りカム機構７２は、所定形状のカム面７３とこのカム面７３と共働するカムフォロワ７４とを備えていて、カム面７３には、カムフォロワ７４の初期位置を規定する１つの凹入部７３ａと、１つの係合部７３ｂと、２つの押切り作用部７３ｃ，７３ｄとが備わっているのに対し、上記カムフォロワ７４は、中間部が軸体７７を介して筐体１００側に回動自在に取り付けられた略Ｌ字形の上記制御アーム７６の一端部に設けられている。この押切りカム機構７２において、係合部７３ｂと上記カムフォロワ７４とが大サイズディスクＤ１に対応する第１始動手段を形成している。また、カム面７３の初期位置（凹入部７３ａ）に位置するカムフォロワ７４に対向してスライダ３０に設けられた突起７８とカムフォロワ７４とが小サイズディスクＤ２に対応する第２始動手段を形成している。これらの第１始動手段や第２始動手段は、搬送ローラ２５によるディスクＤ１，Ｄ２の搬入が終了するタイミングに合わせてスライダ３０をスライドさせることにより、第２ラック７１を第２ピニオン４３に対する離間位置からその第２ピニオン４３に対する噛合い位置まで移動させるスライダ始動手段を構成している。これに対し、上記制御アーム７６の他端部には長孔７９が備わり、その長孔７９に、ディスクストッパ５０に設けられている係止突起５２が摺動自在に嵌合されている。
【００３１】
そして、上記した第１始動手段の動作と第２始動手段の動作とが、筐体１００に取り付けられたセレクト機構９０によって選択されるようになっている。すなわち、大サイズディスクＤ１が搬入されたときにはセレクト機構９０が第１始動手段だけを動作させ、小サイズディスクＤ２が搬入されたときにはセレクト機構９０が第２始動手段だけを動作させる。
【００３２】
セレクト機構９０は図１０に示したセレクトバー９１を有している。このセレクトレバー９１は、基端部９２が筐体１００に回動自在に取り付けられ、その先端部にばね板９３を一体に備えていて、セレクトレバー９１が基端部９２を中心として揺動することにより、ばね板９３が、カム面７３の初期位置に位置するカムフォロワ７４と突起７８との相互間に介在される位置（図７に仮想線で示してある）と、カムフォロワ７４と突起７８との相互間位置の外側に退避する位置とで移動する。また、セレクトレバー９１は、図１０に例示したようにばね９４によって、ばね板９３がカムフォロワ７４と突起７８との相互間位置に近づく方向に常時弾発付勢されていると共に、そのフレクトレバー９１の中間部に、大サイズディスクＤ１が搬入されたときにその大サイズディスクＤ１によって押し出される摺接部９５を備えている。
【００３３】
以上説明した構成を備える実施形態のスロットイン型ディスク装置では、大サイズディスク（直径１２ｃｍ）Ｄ１と小サイズディスク（直径８ｃｍ）Ｄ２とを使い分けることが可能である。以下に、それぞれのディスクＤ１，Ｄ２を使用する場合の作用を説明する。
【００３４】
図１〜図５は大サイズディスクＤ１（以下「ディスクＤ１」という）を搬入する段階からセット位置に配備するまでの段階を示している。
【００３５】
筐体１００のスロット部分にディスクＤ１を差し込むと、搬送ローラ２５の回転によってディスクＤ１に送り力が付与されてディスクＤ１が図１（Ａ）（Ｂ）の矢印ｄのように搬入される。この場合、搬送ローラ２５には、図９に示したモータＭの回転が、歯車列２０や歯車２８及び従動歯車２７によって形成される第２伝達路を経て伝達されている。
【００３６】
搬送ローラ２５により送り力が付与されたディスクＤ１は、図２（Ａ）（Ｂ）の矢印ｄのように送られてその外周端面の２箇所がディスクストッパ５０の２つの係止部５１，５１に突き当たって求心作用を受けると共に、そのディスクＤ１がセレクトレバー９１の摺接部９５を押し出し、それに伴ってセレクトレバー９１が外方へ揺動してばね板９３が初期位置のカムフォロワ７４と突起７８との相互間位置の外側に退避する。
【００３７】
搬送ローラ２５から送り力を与えられているディスクＤ１がその後にディスクストッパ５０を図３（Ａ）の矢印ｅのように押し込んで後退させると、そのディスクストッパ５０の後退動作が制御アーム７６の揺動（矢印ｆ）に変換されるので、それまでカム面７３の初期位置に位置していたカムフォロワ７４がカム面７３の係合部７３ｂまで移動する。この後、搬送ローラ２５から送り力を与えられているディスクＤ１がさらにディスクストッパ５０を後退させると、ディスクストッパ５０が押込み限界位置付近から押込み限界位置まで押し込まれると共に、係合部７３ｂに係合しているカムフォロワ７４がその係合部７３ｂを押してスライダ３０を図４（Ａ）の矢印ｇのようにスライドさせる。このときのスライダ３０のスライドにより、第２ラック７１が第２ピニオン４３に対する離間位置からその第２ピニオン４３に対する噛合い位置まで移動する。そのため、第１ピニオン４３の回転が第２ラック７１に伝達されるようになり、第１ピニオン４３の回転によってスライダ３０が矢印ｇのように移動すると、図５（Ｂ）のようにカム溝３３の案内作用で搬送ローラ２５の支軸２６が動作位置から非動作位置まで下降して搬送ローラ２５がディスクＤ１から離れてディスクＤ１の搬入が終了する。併せて、図５（Ｂ）のようにカム溝３４の案内作用でディスククランパ６０の係合軸６５が下降し、ディスクＤ１がターンテーブル１１とクランパ６３とにより挟持される。また、このときのスライダ３０のスライドにより、図１１（Ａ）（Ｂ）のように、カムフォロワ７４がカム面７３の一方の押切り作用部７３ｃに到達する。この押切り作用部７３ｃは、カム面７３に対してレベル差δを備えているので、カムフォロワ７４がカム面７３の一方の押切り作用部７３ｃに到達すると、制御アーム７６が図１１（Ｂ）の矢印ｆのようにさらに揺動し、この揺動によって、ディスクストッパ５０が図５（Ａ）（Ｂ）の矢印ｈのように後退してディスクＤ１から離れる。また、ディスクＤ１の搬入が終了するタイミングに合わせて、図１２で説明したロック解除機構１８が動作を開始し、第１ピニオン・ラック機構１３の第１ラック１４が第１ピニオン１５に噛み合う。そのため歯車列２０により形成される第１伝達路を経てモータＭの回転が第１ピニオン１５を経て第１ラック１４に伝達され、光ピックアップ１２が走行動作するようになる。
【００３８】
ディスクＤ１を搬出するときには、モータＭの回転が逆向きに切り換えられる。そのため、第１ラック１４の係合ピン１６ａがカム溝１６ｃを経て係合溝部１６ａに入ってロックされることと、クランパ６３が復帰することと、第２ピニオン４３の逆回転に伴うスライダ３０の復帰方向へのスライド動作を通じて行われる制御レバー７６の逆向き揺動を介してディスクストッパ５０がディスクＤ１を押し出すことと、動作位置に復帰した搬送ローラ２５が排出作用を発揮すること、などによってディスクＤ１が搬出される。
【００３９】
図６〜図８は小サイズディスクＤ２（以下「ディスクＤ２」という）を搬入する段階からセット位置に配備するまでの段階を示している。
【００４０】
筐体１００のスロット部分にディスクＤ２を差し込むと、モータＭの回転が歯車列２０の第２伝達路を経て伝達されている搬送ローラ２５の回転によってディスクＤ２に送り力が付与され、ディスクＤ２が図６の矢印ｄのように搬入される。
【００４１】
搬送ローラ２５により送り力が付与されたディスクＤ２は、図７のようにその外周端面の２箇所がディスクストッパ５０の２つの係止部５１，５１に突き当たって求心作用を受ける。なお、ディスクＤ２は小サイズであるので、このディスクＤ２の搬入動作にセレクトレバー９１が往動することはない。搬送ローラ２５から送り力を与えられているディスクＤ２がその後にディスクストッパ５０を図７のように押し込むと、ディスクストッパ５０の後退動作が制御アーム７６の揺動に変換されるので、それまでカム面７３の初期位置に位置していたカムフォロワ７４が、そのカムフォロワ７４と突起７８との相互間に介在されているばね体９３を押して撓み変形させて突起７８を矢印ｉのように押す。そのため、スライダ３０がスライドして第２ラック７１が第２ピニオン４３に対する離間位置からその第２ピニオン４３に対する噛合い位置まで移動する。その後、第１ピニオン４３の回転が第２ラック７１に伝達されるようになり、第１ピニオン４３の回転によってスライダ３０が矢印ｇのように移動すると、既述したようにカム溝３３の案内作用で搬送ローラ２５の支軸２６が動作位置から非動作位置まで下降し、搬送ローラ２５がディスクＤ１から離れてディスクＤ２の搬入が終了する。併せて、カム溝３４の案内作用でディスククランパ６０の係合軸６５が下降し、ディスクＤ２がターンテーブル１１とクランパ６３とにより挟持される（図５参照）。また、このときのスライダ３０のスライドにより、図８のように、カムフォロワ７４がカム面７３の他方の押切り作用部７３ｄに到達する。この押切り作用部７３ｄも、カム面７３に対してレベル差を備えているので、カムフォロワ７４がカム面７３の他方の押切り作用部７３ｄに到達すると、制御アーム７６が図８の矢印ｆのようにさらに揺動し、この揺動によって、ディスクストッパ５０が矢印ｈのように後退してディスクＤ２から離れる。また、ディスクＤ２の搬入が終了するタイミングに合わせて、図１２で説明したロック解除機構１８が動作を開始し、第１ピニオン・ラック機構１３の第１ラック１４が第１ピニオン１５に噛み合う。そのため歯車列２０により形成される第１伝達路を経てモータＭの回転が第１ピニオン１５を経て第１ラック１４に伝達され、光ピックアップ１２が走行動作するようになる。
【００４２】
ディスクＤ２を搬出するときには、モータＭの回転が逆向きに切り換えられる。そのため、第１ラック１４の係合ピン１６ａがカム溝１６ｃを経て係合溝部１６ａに入ってロックされることと、クランパ６３が復帰することと、第２ピニオン４３の逆回転に伴うスライダ３０の復帰方向へのスライド動作を通じて行われる制御レバー７６の逆向き揺動を介してディスクストッパ５０がディスクＤ２の押し出すことと、動作位置に復帰した搬送ローラ２５が排出作用を発揮すること、などによってディスクＤ２が搬出される。
【図面の簡単な説明】
【００４３】
【図１】（Ａ）は大サイズディスク搬入初期の概略平面図、（Ｂ）は同概略側面図である。
【図２】（Ａ）は大サイズディスクがディスクストッパに係合した状態の概略平面図、（Ｂ）は同概略側面図である。
【図３】（Ａ）は大サイズディスクの搬入終了直前の状態の概略平面図、（Ｂ）は同概略側面図である。
【図４】（Ａ）は大サイズディスクの搬入が終了した状態の概略平面図、（Ｂ）は同概略側面図である。
【図５】（Ａ）はディスクストッパが大サイズディスクから離れた状態の概略平面図、（Ｂ）は同概略側面図である。
【図６】小サイズディスク搬入初期の概略平面図である。
【図７】は小サイズディスクの搬入が終了した状態の概略平面図である。
【図８】小サイズディスクの搬入が終了した後にディスクストッパが小サイズディスクから離れた状態の概略平面図である。
【図９】歯車列の説明図である。
【図１０】制御アームの平面図である。
【図１１】（Ａ）（Ｂ）は押切りカム機構の構成などを示した説明図である。
【図１２】ロック機構とロック解除機構とを説明的に示した横断面図である。
【図１３】図１２のＸＩＩＩ矢視図に相応する拡大図である。
【符号の説明】
【００４４】
Ａ  ディスク駆動手段
Ｄ１  大サイズディスク
Ｄ２  小サイズディスク
１１  ターンテーブル
１２  光ピックアップ
１３  第１ピニオン・ラック機構
１４  第１ラック
１５  第１ピニオン
１６  ロック機構
１８  ロック解除機構
２０  歯車列
２５  搬送ローラ（ディスク搬送手段）
３０  スライダ
４３  第２ピニオン
５０  ディスクストッパ
６０  ディスククランプ機構
７１  第２ラック
７２  押切りカム機構
７３ｂ  係合部
７３  カム面
７４  カムフォロワ
７６  単一の制御アーム
７８  突起
９０  セレクト機構
９１  セレクトレバー
９３  ばね板
３３，３４  カム溝（カム機構）
【図１】
2006172557.tif 000003
【図２】
2006172557.tif 000004
【図３】
2006172557.tif 000005
【図４】
2006172557.tif 000006
【図５】
2006172557.tif 000007
【図６】
2006172557.tif 000008
【図７】
2006172557.tif 000009
【図８】
2006172557.tif 000010
【図９】
2006172557.tif 000011
【図１０】
2006172557.tif 000012
【図１１】
2006172557.tif 000013
【図１２】
2006172557.tif 000014
【図１３】
2006172557.tif 000015